(57)【要約】【課題】  弄くりに対して強いとともに、必要に応じて取手金具の装着相手が蓋パネルの上面に引き出され、閉塞用ボルトの紛失の危険性がない平面取手装置を提供する。【解決手段】  蓋パネルの受孔に嵌挿されガイド筒と、ガイド筒に収容され、上端部外周面に螺子部が形成されたボルト体と、ボルト体側面に突設され、ガイド筒のスロットに挿入されたストッパーピンと、ボルト体の受溝に装着され、ガイド筒に圧接してボルト体を所定のスライド位置に保持するする弾性部材と、ボルト体の上下方向の螺子孔に捻じ込まれ、定常状態では円形頭部がボルト体の上端面の逃げ用凹部に収容され、専用回転工具の駆動部が係合する受動部を円形頭部に形成してある摘み用ビスと、定常状態では蓋パネルから取外されており、ガイド筒の上方に突出したボルト体の前記螺子部に螺合される取手金具とからなる。【選択図】  図６
2005307481.tif 000002
【特許請求の範囲】
【請求項１】
吊上げ対象の蓋パネルに上下方向に形成された受孔に嵌挿され、上端開口面が蓋パネルの上面と同一平面にあるように蓋パネルに固着されるガイド筒と、定常状態では上端面が蓋パネルの上面と同一平面にあるようにガイド筒に収容され、上端部外周面に螺子部を形成した閉塞用ボルトと、閉塞用ボルトの下端部側面に突設され、ガイド筒側面のスロットに挿入されたストッパーピンと、閉塞用ボルトの外周面の受溝に装着され、ガイド筒の内周面に圧接して閉塞用ボルトを所定のスライド位置に保持するする弾性部材と、閉塞用ボルトの上下方向の螺子孔に捻じ込まれ、定常状態では円形頭部が蓋パネルの上面と同一平面にあるように、閉塞用ボルトの上端面の逃げ用凹部に収容されており、専用回転工具の駆動部が係合する受動部を円形頭部の上面に形成した摘み用ビスと、定常状態では蓋パネルから取外されており、ガイド筒の上方に突出した閉塞用ボルトの前記螺子部に下端ナット部が螺合される取手金具とからなる蓋パネルの平面取手装置。
【発明の詳細な説明】
【技術分野】
【０００１】
本発明は、車道や歩道に設置されたマンホールの蓋、住宅の床面収納庫の開閉扉、隠し階段口の開閉蓋といった蓋パネルに適用される平面取手装置に関する。
【背景技術】
【０００２】
この種の重い蓋パネルにおいては、開閉や取外し時の吊上げ作業を楽に行なうために、作業者の手が掛けられるか、吊上げ用機械器具からのワイヤーが掛けられるアイボルト型の取手金具を、蓋パネルの適所に設けた螺子孔に捻じ込み装着することが行なわれている（特許文献１参照）。
蓋パネルの吊上げ作業を行なわない定常状態では、蓋パネルの前記螺子孔は上面にドライバー溝を形成した閉塞用ボルトによって埋め合わされている。この閉塞用ボルトは、吊上げ作業に当って通常の回転工具によって回され、螺子孔から抜き取られる。その後、取付金具の下端螺子軸部が当該螺子孔に捻じ込まれる。
【０００３】
この従来装置では、閉塞用ボルトの上端面には、市販されている普通の回転工具が適合する通常のドライバー溝が設けられているため、閉塞用ボルトを弄くられて螺子孔から抜き取られ、空っぽとなった螺子孔に金属棒等を挿入あるいは掛合させて、蓋パネルを無断開放されてしまう危険性がある。
また、正当権限のある管理者が蓋パネルを開放するときであっても、アイボルト型の取手金具を捻じ込むときには、閉塞用ボルトを螺子孔から完全に抜き取る方式であるため、吊上げ作業中に不注意によって閉塞用ボルトを紛失してしまう危険性があった。
【０００４】
【特許文献１】特開２００４−７６８６３号公報
【発明の開示】
【発明が解決しようとする課題】
【０００５】
本発明の課題は、弄くりに対して強いとともに、定常状態では蓋パネルの上面がフラットに維持されており、必要に応じて取手金具の装着相手が蓋パネルの上面に引き出され、閉塞用ボルトの紛失の危険性がない平面取手装置を提供することである。
【課題を解決するための手段】
【０００６】
本発明の平面取手装置は、吊上げ対象の蓋パネルに上下方向に形成された受孔に嵌挿され、上端開口面が蓋パネルの上面と同一平面にあるように蓋パネルに固着されるガイド筒と、定常状態では上端面が蓋パネルの上面と同一平面にあるようにガイド筒に収容され、上端部外周面に螺子部を形成した閉塞用ボルトと、閉塞用ボルトの下端部側面に突設され、ガイド筒側面のスロットに挿入されたストッパーピンと、閉塞用ボルトの外周面の受溝に装着され、ガイド筒の内周面に圧接して閉塞用ボルトを所定のスライド位置に保持するする弾性部材と、閉塞用ボルトの上下方向の螺子孔に捻じ込まれ、定常状態では円形頭部が蓋パネルの上面と同一平面にあるように、閉塞用ボルトの上端面の逃げ用凹部に収容されており、専用回転工具の駆動部が係合する受動部を円形頭部の上面に形成した摘み用ビスと、定常状態では蓋パネルから取外されており、ガイド筒の上方に突出した閉塞用ボルトの前記螺子部に下端ナット部が螺合される取手金具とからなる。
【発明の効果】
【０００７】
このように構成された平面取手装置では、蓋パネルの吊上げを行なわない定常状態においては、閉塞用ボルトの上端面および摘み用ビスの円形頭部の上面は、蓋パネルの上面と同一平面にあるため、車両の走行、歩行者の通行、居住者の歩行あるいは器物の運搬や設置に支障を生じることがない。
蓋パネルを取外したいときには、一般には市販されていない専用回転工具の駆動部を摘み用ビスの円形頭部の受動部に係合させ、摘み用ビスを緩める方向に回転操作するため、閉塞用ボルトに対する弄くりが抑止されることになり、蓋パネルが無断開放される危険性がない。
【０００８】
前記回転操作によって摘み用ビスの円形頭部が閉塞用ボルトの逃げ用凹部から浮き上がり、作業者が指先で摘まめる位置に突出し、この摘み用ビスを引き上げることによって、閉塞用ボルトの上端螺子部がガイド筒の上方に突出されるのであるが、閉塞用ボルトの外周面とガイド筒の内周面間に挿入された弾性部材によって適度の摩擦力が与えられているため、閉塞用ボルトの当該突出状態は安定に維持され、閉塞用ボルトの上端螺子部に対する取手金具の下端ナット部の螺合作業がスムーズになされる。
【０００９】
前記弾性部材による摩擦力に抗して摘み用ビスを引き上げたとき、ストッパーピンがスロットの上端内面に突き当たることによって、閉塞用ボルトの引き出し量が一定に限定されるため、この平面取手装置を蓋パネルに複数箇所設置する場合、閉塞用ボルトの引き出し状態にばらつきを発生することがない。
【００１０】
上記のようにストッパーピンがスロットの上端内面に突き当たることによって、閉塞用ボルトの完全なる抜き取りが阻止され、閉塞用ボルトはスライド位置においては相違していても、常にガイド筒内に保持されており、かつ、その上端螺子部に取手金具の下端ナット部が螺合されているため、従来装置のように閉塞用ボルトを作業中に紛失する危険性がない。
【実施例】
【００１１】
図１から図６に示した実施例では、吊上げ対象の蓋パネル１の下面には金属製のベースプレート２が装着されており、金属製のガイド筒３の下部に溶接したロケーションプレート４が、ベースプレート２に溶接されている。上下方向に長いスロット５はガイド筒３の左右両側壁に形成されている。丸頭ビス形のストッパーピン６は、金属製の閉塞用ボルト７の直径方向の横断螺子孔８に両側から螺子軸部を捻じ込まれている。
【００１２】
受溝９は閉塞用ボルト７の上部と中間部の２箇所に環状に形成されており、これに嵌め込まれる弾性部材１０は、シリコンゴム製などのＯ−リングで構成されている。摘み用ビス１１の円形頭部１２の基部には、大径な指掛用フランジ１３を設けてあり、この外周面も回転力を与えられないように円形に形成されている。摘み用ビス１１が捻じ込まれる上下方向の螺子孔２３は閉塞用ボルト７の上端面中央に形成されている。
【００１３】
閉塞用ボルト７の上端面の逃げ用凹部１４は円形断面に形成されており、前記指掛用フランジ１３が密に嵌合している。円形頭部１２側の受動部１５は、円形頭部１２の外周面に等間隔に配置された６個の縦溝で構成されている。これに対応して、金属製の専用回転工具１６側の駆動部１７は、円形頭部１２を受け入れ可能な円形窪み１８の内周面に形成した６個の突起で形成されている。
【００１４】
金属製の取手金具１９の下端ナット部２０の内部空間は、摘み用ビス１１が突出状態にある閉塞用ボルト７の上端螺子部２１を受け入れるのに十分な長さを有している。取手金具１９にはアイ部２２が形成されており、アイ部２２は直接作業者の手によって握られたり、あるいは吊上げ用機械器具から繰り出された吊上げ用ワイヤーの先端金具が引っ掛けられる。
【図面の簡単な説明】
【００１５】
【図１】本発明の一実施例に係る蓋パネル用平面取手装置の取手金具装着前の平面図である。
【図２】図１の平面取手装置の一部を縦断面で示した正面図である。
【図３】図１の平面取手装置の底面図である。
【図４】図２のＡ−Ａ線断面図である。
【図５】図１の平面取手装置において、専用回転工具を適用して摘み用ビスを突出させるときの一部縦断正面図である。
【図６】図１の平面取手装置において、摘み用ビスによって引き出した閉塞用ボルトの上端螺子部に取手金具を装着したときの一部縦断正面図である。
【符号の説明】
【００１６】
１    蓋パネル
２    ベースプレート
３    ガイド筒
４    ロケーションプレート
５    スロット
６    ストッパーピン
７    閉塞用ボルト
８    横断螺子孔
９    受溝
１０  弾性部材
１１  摘み用ビス
１２  円形頭部
１３  指掛用フランジ
１４  逃げ用凹部
１５  受動部
１６  専用回転工具
１７  駆動部
１８  円形窪み
１９  取手金具
２０  下端ナット部
２１  上端螺子部
２２  アイ部
２３  螺子孔
【図１】
2005307481.tif 000003
【図２】
2005307481.tif 000004
【図３】
2005307481.tif 000005
【図４】
2005307481.tif 000006
【図５】
2005307481.tif 000007
【図６】
2005307481.tif 000008